(57)【要約】【課題】再使用できる荷崩れ防止具であって、荷物の周面に巻装する際、一人作業で確実かつ容易に巻装作業が行え、耐久期間終了時には容易に廃棄可能な荷崩れ防止具を供給することにある。【解決手段】パレットや台車上に複数段積載される荷物の外周に沿って巻装される荷崩れ防止具であって、上段の荷物の外周面に沿って巻回される所定長さの帯状シートと、帯状シートの両端に設けられ、帯状シートの両端を着脱自在に結束する端末係止部材と、帯状シートの基端部付近に設けられ荷物間に差し込まれる差し込み片と、差し込み片に設けられ帯状シートの途中部分と着脱自在に結束する仮保持係止部材とを備え、該帯状シートがポリ乳酸を主たる成分とする生分解性材料である事を特徴とする。【選択図】図５
2006111288.tif 000002
【特許請求の範囲】
【請求項１】
パレットや台車上に複数段積載される荷物の外周に沿って巻装される荷崩れ防止具であって、上段の荷物の外周面に沿って巻回される所定の長さの帯状シートと、帯状シートに設けられ帯状シートの両端を着脱自在に結束する端末係止部材と、帯状シートの基端部付近に設けられ荷物間に差し込まれる差し込み片と、差し込み片に設けられ帯状シートの途中部分と着脱自在に結束する仮保持係止部材とを備え、該帯状シートがポリ乳酸を主たる成分とする生分解性材料である事を特徴とする荷崩れ防止具。
【請求項２】
パレットや台車上に複数段積載される荷物の外周に沿って巻装される荷崩れ防止具であって、上段の荷物の外周面に沿って巻回される所定の長さの帯状シートと、帯状シートに設けられ帯状シートの両端を着脱自在に結束する端末係止部材と、両端が前記帯状シートに間隔を設けて取着され、荷物の上部に掛け渡して前記帯状シートを荷物に吊り下げる為一ヶ所以上の掛止部材とを備え、該掛止部材の荷物側には、一ヶ所以上のノンスリップ部材を備え、該帯状シートがポリ乳酸を主たる成分とする生分解性材料である事を特徴とする荷崩れ防止具。
【請求項３】
前記帯状シートの端末係止部材、または仮保持係止部材のどちらか一方以上の係止部材が、面ファスナーにより構成されている事を特徴とする請求項１または２に記載の荷崩れ防止具。
【請求項４】
前記帯状シートの端末係止部材、または仮保持係止部材のどちらか一方以上の係止部材が、締め付けベルトとアジャスターとから構成され、荷物の周長に応じてベルト長さを可変できるようにしたことを特徴とする請求項1または３に記載の荷崩れ防止具。
【請求項５】
前記帯状シートの一ヶ所以上の場所に伸縮性のあるチューブ部材を備えたことを特徴とする請求項１から請求項４のいずれか１項に記載の荷崩れ防止具。
【請求項６】
前記帯状シートの上部と下部とを識別する目印を、該帯状シートの上端付近または下端付近の一方以上に備えたことを特徴とする請求項１から請求項５のいずれか１項に記載の荷崩れ防止具。
【発明の詳細な説明】
【技術分野】
【０００１】
本発明は、パレットや台車上に複数段積載される荷物の周面に巻装され、荷物の搬送時等、荷崩れを防止できる荷崩れ防止具に係り、一人作業で荷物に簡単に巻装作業が行え、再利用が可能であって、耐久期間終了時には容易に廃棄可能な荷崩れ防止具に関するものである。
【背景技術】
【０００２】
通常、荷物を荷役用のパレットや台車上に数段に積載して搬送する際、荷崩れ防止用のストレッチフィルムで荷物を包装するか、あるいは細紐状のＰＰバンド等で複数段の荷物の数箇所を巻回する方法が知られている。
【０００３】
しかし、ストレッチフィルム、またはＰＰバンド等で包装する場合、一人で荷物に荷崩れ防止具を巻回することも困難であり、また、剥がしたストレッチフィルム、ＰＰバンド等は再利用ができず、使用済みのストレッチフィルム、またはＰＰバンド等は産業廃棄物として処理する必要があり、焼却時には高温、悪臭、地球温暖化ガスを発し、埋め立て廃棄の場合も分解されにくく、廃棄性が悪かった。この為、廃棄性の良い荷崩れ防止具が望まれていた。
【０００４】
再利用可能な荷崩れ防止具として、積載された荷物の周囲を巻回するシートカバーの両端部を面ファスナー、ベルト等により連結固定する荷崩れ防止装置や、シートに設けられた係止部材を荷物間や荷物にかけられたロープと荷物の間に挿入することにより、シートを荷物に係止しつつ、シートを巻回する荷崩れ防止具が知られている。
【０００５】
また、一人で荷物に荷崩れ防止具を巻回する方法としても、多くの提案がされている。例えば特開平７−１４９３６４号には、段済み状の運搬物相互間に差し入れ、挿入される仮止め挿入片を突設させた運搬物用荷くずれ防止装置を提案している。しかし、これらの場合、荷物を持ち上げる作業が入り、容易な作業とは言い切れない。
【０００６】
また、特開２００１−１２２２６５号にも、上段の荷物間に差し込まれ、帯状シートの基端側を荷物に仮保持する仮保持用差し込み片を備えた提案がされている。さらに、特開平１１−１４７５３１号には、荷物の上部に掛け渡してシートを荷物に吊止する方法が提案されている。しかしながらこの場合、積載した荷物の全体に上部に掛け渡し部材を掛け渡すことは容易ではない。
【０００７】
さらに、これらこの場合、材料に対する記載が無く、一人で荷物に荷崩れ防止具を巻回することはある程度は可能であるが、十分ではない。また、荷崩れ防止具の繰り返し使用は可能なものの、耐久期間を経過した荷崩れ防止具の廃棄時には、やはり産業廃棄物としての処理が残る。さらに、ポリ乳酸系生分解性材料を荷崩れ防止具のシート部材または、バンド部材としての使用例は見当たらない。
【特許文献１】特開２００１−１２２２６５号公報
【特許文献２】特開平１１−１４７５３１号公報
【特許文献３】特開平７−１４９３６４号公報
【発明の開示】
【発明が解決しようとする課題】
【０００８】
すなわち、従来の荷崩れ防止具は、荷物の周面に巻装する際、一人作業で確実かつ容易に巻装作業が行えるとは言えず、また、再使用は可能ではあるものの、廃棄作業が無くなる訳ではなく、廃棄時には産業廃棄物としての処理が残っていた。
【０００９】
本発明は、上述した問題点を鑑みてなされたもので、再使用できる荷崩れ防止具であって、荷物の周面に巻装する際、一人作業で確実かつ容易に巻装作業が行え、耐久期間終了時には容易に廃棄可能な荷崩れ防止具を提供することを目的とする。
【課題を解決するための手段】
【００１０】
上記目的を達成するために、本願１の請求項１に記載の発明は、パレットや台車上に複数段積載される荷物の外周に沿って巻装される荷崩れ防止具であって、上段の荷物の外周面に沿って巻回される所定長さの帯状シートと、帯状シートの両端に設けられ、帯状シートの両端を着脱自在に結束する端末係止部材と、帯状シートの基端部付近に設けられ荷物間に差し込まれる差し込み片と、差し込み片に設けられ帯状シートの途中部分と着脱自在に結束する仮保持係止部材とを備え、該帯状シートがポリ乳酸を主たる成分とする生分解性材料である事を特徴とする。
【００１１】
そして、請求項１に記載の発明によれば、帯状シートの基端部付近に設けられた差し込み片を、上段の荷物間に差し込み、差し込み片に設けられた仮保持係止部材を、荷物の上部に掛け渡し、帯状シートと仮係止すれば、帯状シートの基端側を荷物側に簡単に仮保持することができ、その後、上段の荷物の外周面に沿って帯状シートを巻回して、帯状シート先端部分を、係止部材を介して帯状シートの基端側に結束すれば、一人作業で簡単に荷崩れ防止具を装着することができる。
【００１２】
更に、請求項１に記載の発明によれば、帯状シートは、ポリ乳酸を主たる成分とする生分解性材料である為、荷崩れ防止具として繰り返し使用後の廃棄時、焼却時にも高温、悪臭、地球温暖化ガスを発せず、埋め立て廃棄の場合も分解されやすく、廃棄性の良い荷崩れ防止具となっている。
【００１３】
本願の請求項２に記載の発明は、パレットや台車上に複数段積載される荷物の外周に沿って巻装される荷崩れ防止具であって、上段の荷物の外周面に沿って巻回される所定の長さの帯状シートと、帯状シートに設けられ帯状シートの両端を着脱自在に結束する端末係止部材と、両端が前記帯状シートに間隔を設けて取着され、荷物の上部に掛け渡して前記帯状シートを荷物に吊り下げる為一ヶ所以上の掛止部材とを備え、該掛止部材の荷物側には、一ヶ所以上のノンスリップ部材を備え、該帯状シートがポリ乳酸を主たる成分とする生分解性材料である事を特徴とする。
【００１４】
そして、請求項２に記載の発明によれば、掛止部材を荷物に掛け渡すならば、掛止部材は帯状シートを吊り下げ、掛止部材に備えたノンスリップ部材にて、帯状シートの基端側を荷物側に簡単に仮保持することができ、その後、上段の荷物の外周面に沿って帯状シートを巻回して、帯状シート先端部分を、係止部材を介して帯状シートの基端側に結束すれば、一人作業で簡単に荷崩れ防止具を装着することができる。更に、帯状シートは、ポリ乳酸を主たる成分とする生分解性材料である為、荷崩れ防止具として繰り返し使用後の廃棄時、焼却時にも高温、悪臭、地球温暖化ガスを発せず、埋め立て廃棄の場合も分解されやすく、廃棄性の良い荷崩れ防止具となっている。
【００１５】
本願の請求項３に記載の発明は、端末係止部材、または仮保持係止部材のどちらか一方以上の係止部材が、面ファスナーにより構成されている事を特徴とする。
【００１６】
そして、請求項３に記載の発明によれば、帯状シート基端側付近に面ファスナー（雌側）、帯状シート先端側付近および、仮保持係止部材に面ファスナー（雄側）が備えられている為、差し込み片に設けられた仮保持係止部材を、荷物の上部に掛け渡し、帯状シートの雌側面ファスナーに対し、仮保持係止部材の雄側面ファスナーを重ね合わせるだけで、簡単に仮保持作業を完了させることができる。
【００１７】
更に、仮保持作業を終了後、続けて帯状シートを、上段荷物の外周面に沿って巻回操作して、帯状シートの雌側面ファスナーに対し、帯状シート先端側付近の雄側面ファスナーを重ね合わせるだけで、簡単に帯状シートの巻回作業を完了させることができる。さらに、荷崩れ防止具を取り外すときは、面ファスナーを離脱させることにより、簡単に取り外し作業を完了することができる。
【００１８】
本願の請求項４に記載の発明は、帯状シートの端末係止部材、または仮保持係止部材のどちらか一方以上の係止部材が、締め付けベルトとアジャスターとから構成され、荷物の周長に応じてベルト長さを可変できるようにしたことを特徴とする。
【００１９】
そして、請求項４に記載の発明によれば、仮保持作業後、帯状シートを上段の荷物の外周面に沿って巻回操作して、帯状シートの基端側と先端側とを締め付けベルトで連結し、ベルト長さを調整することにより、一人作業で簡単に上段の荷物の外周に沿って帯状シートを巻回操作することができる。
【００２０】
本願の請求項５に記載の発明は、帯状シートの一ヶ所以上の場所に伸縮性のあるチューブ部材を備えたことを特徴とする。
【００２１】
そして、請求項５に記載の発明によれば、帯状シートの一部に伸縮性のあるチューブを備える事により、帯状シートを荷物の外周面に沿って巻回操作した時の緩み防止を行うことができる。
【００２２】
本願の請求項６に記載の発明は、帯状シートの上部と下部とを識別する目印を、該帯状シートの上端付近または下端付近の一方以上に備えたことを特徴とする。
【００２３】
そして、請求項６に記載の発明によれば、帯状シートの上部と下部とを識別する目印を備えることにより、帯状シートを荷物の外周面に沿って巻回操作した時、帯状シートの長さのあまり、帯状シートの上部と下部の取り間違いを防止することができる。
【発明の効果】
【００２４】
本発明に係る荷崩れ防止具は、帯状シートの基端部付近に設けられた差し込み片を、上段の荷物間に差し込み、差し込み片に設けられた仮保持係止部材を、荷物の上部に掛け渡し、帯状シートと仮係止すれば、帯状シートの基端側を荷物側に簡単に仮保持することができ、その後、上段の荷物の外周面に沿って帯状シートを巻回して、帯状シート先端部分を、係止部材を介して帯状シートの基端側に結束すれば、一人作業で簡単に荷崩れ防止具を装着することができる。
【００２５】
さらに、本発明の荷崩れ防止具は、帯状シートに生分解性材料を使用しており、廃棄時の焼却処分時には高温を必要とせず、有害ガスを発生せず、土壌の埋没させた場合は、バクテリアによる侵食分解、加水分解等により自然回帰するという利点がある。
【発明を実施するための最良の形態】
【００２６】
帯状シートは、生分解性繊維から形成し、差し込み片も、生分解性プラスチックの薄板部材を使用形成し、端末および仮保持係止部材となる面ファスナーも生分解性プラスチックから形成する。
【実施例１】
【００２７】
以下、本発明に係る荷崩れ防止具の実施形態について、添付図面を参照しながら詳細に説明する。
【００２８】
図１は、荷崩れ防止具の実施例を示す斜視図であり、１０は荷崩れ防止具を表している。同図の１１は帯状シート、１２は差し込み片、１３は面ファスナー（雌側）、１４は面ファスナー（雄側）、１５は仮保持係止部材、１６はチューブ部材、１７は開口部、１８は目印縫製を示している。
【００２９】
この時、差し込み片１２には、帯状シート１１と仮保持係止部材１５が縫製にて固定されていて、仮保持係止部材１５には面ファスナー（雄側）１４が配されていて、帯状シート１１の基端側付近には面ファスナー（雌側）１３、先端側付近には面ファスナー（雄側）１４が配されている。
【００３０】
帯状シート１１は、布にて形成することが望ましいが、伸縮性のあるニット地、網状部材を使用する場合もある。また、差し込み片差し込み片１２は、１ｍｍ前後の薄板が望ましいが、厚みを規定するものではなく、また、荷物の形態、表面材料の摩擦程度により、滑り止めを備える場合もある。
【００３１】
図２は、図１に示す荷崩れ防止具１０を荷物に巻装する作業手順を示すもので、差し込み片１２を荷物間に差し込む状態を示す説明図である。図３は、図２に対し、荷崩れ防止具１０の差し込み片１２を、上段の荷物４０と荷物４１間に差し込んだ状態を示す説明図である。
【００３２】
図４は、図３に対し、仮保持係止部材１５を帯状シート１１に係止した状態を示す説明図である。同図において、荷崩れ防止具１０は上段コーナーの荷物４１に対し仮保持が完了している。
【００３３】
本発明の荷崩れ防止具は、差し込み片だけで仮固定する従来案に対して、差し込み片１２と仮保持係止部材１５にて、荷物４１を抱き抱える状態となり、仮固定の安定感が数段あがる。また、上段の荷物数個の一列に掛け渡し部材を掛け、仮固定する従来案に対し、本発明の荷崩れ防止具は、荷物４１一個に対し仮固定可能なことで、仮固定の作業は容易となる。
【００３４】
図５は、図４に対し、荷崩れ防止具１０を仮固定後、上段荷物４０、４０・・の外周面に沿って帯状シート１１を巻回して、帯状シート１１先端部分を、帯状シート１１基端部付近まで持ってきた状態を示す説明図である。
【００３５】
図６は、図５に対し、帯状シート１１先端部分の裏面に配した面ファスナー（雄側）１４を、帯状シート１１基端部付近に配した面ファスナー（雌側）１３の上に重ね合わせ係止し、帯状シート１１の巻回作業を完了した状態を示す説明図である。
【００３６】
帯状シート１１の幅、長さは規定するものではないが、パレットサイズが１００Ｘ１００ｃｍの場合、帯状シートの長さは４４０ｃｍ程度になり、巻回作業時に帯状シート１１がバラケタ場合、帯状シート１１の幅方向の上下方向が分かりにくくなる場合がある。この時、帯状シート１１の上端付近には、帯状シート１１の生地色と異なる色糸の目印縫製１８を備えていて、帯状シート１１の上部下部を識別できるようにしている。
【００３７】
また、帯状シート１１先端部付近には開口部１７を備えていて、帯状シート１１を最終係止時に、開口部１７に手を入れ、帯状シート１１を引っ張って係止することができる。実施案では、開口部１７を配し、持ち手としているが、持ち手としては、紐、ロープを備える場合もある。
【００３８】
さらに、帯状シート１１は、チューブ部材１６を備え、帯状シート１１を最終係止時に、開口部１７に手を入れ帯状シート１１を引っ張って係止する時、チューブ部材１６が延び帯状シート１１係止後に、帯状シート１１の緩みを防止している。
【００３９】
図７は、荷崩れ防止具の実施例を示す斜視図であり、２０は荷崩れ防止具を表している。同図の２１は帯状シート、２２は掛止部材、２３は面ファスナー（雌側）、２４は面ファスナー（雄側）、２５はノンスリップ部材、２６はチューブ部材、２７は開口部、２８は目印縫製を示している。
【００４０】
同図において、ノンスリップ部材２５は、帯状シート２１の基端側の荷物に面する側、掛止部材２２の荷物に面する側に備えられている。
【００４１】
図８は、図７に示す荷崩れ防止具２０を荷物に巻装する作業手順を示すもので、掛止部材２２を荷物上部に掛け渡した状態を示す説明図である。図９は、図８に対し、荷崩れ防止具２０を仮固定後、上段荷物４０、４０・・の外周面に沿って帯状シート２１を巻回して、帯状シート２１先端部分を、帯状シート２１基端部付近まで持ってきた状態を示す説明図である。
【産業上の利用可能性】
【００４２】
本発明の荷崩れ防止具は、パレットや台車上に複数段積載される荷物の外周に沿って巻装される再利用可能な荷崩れ防止具を一人作業で簡単に装着することができる。
【００４３】
また、本発明の荷崩れ防止具は、生分解性材料を使用していて、耐久期間終了時には、容易に廃棄可能であり、地球温暖化ガスの排出削減にも有効である。
【図面の簡単な説明】
【００４４】
【図１】荷崩れ防止具１０の実施例を示す斜視図である。
【図２】図１に示す荷崩れ防止具１０を荷物に巻装する作業手順を示すもので、差し込み片１２を荷物間に差し込む状態を示す説明図である。
【図３】図２に対し、荷崩れ防止具１０の差し込み片１２を、上段の荷物４０間に差し込んだ状態を示す説明図である。
【図４】図３に対し、仮保持係止部材１５を帯状シート１１に係止した状態を示す説明図である。
【図５】図４に対し、荷崩れ防止具１０を仮固定後、上段荷物４０の外周面に沿って帯状シート１１を巻回して、帯状シート１１先端部分を、帯状シート１１基端部付近まで持ってきた状態を示す説明図である。
【図６】図５に対し、帯状シート１１先端部分の裏面に配した面ファスナー（雄側）１４を、帯状シート１１基端部付近に配した面ファスナー（雌側）１３の上に重ね合わせ係止し、帯状シート１１の巻回作業を完了した状態を示す説明図である。
【図７】荷崩れ防止具２０の実施例を示す斜視図である。
【図８】図７に示す荷崩れ防止具２０を荷物に巻装する作業手順を示すもので、掛止部材２２を荷物上部に掛け渡した状態を示す説明図である
【図９】図８に対し、荷崩れ防止具２０を仮固定後、上段荷物４０、４０・・の外周面に沿って帯状シート２１を巻回して、帯状シート２１先端部分を、帯状シート２１基端部付近まで持ってきた状態を示す説明図である。
【符号の説明】
【００４５】
１０  荷崩れ防止具
１１  帯状シート
１２  差し込み片
１３  面ファスナー（雌側）
１４  面ファスナー（雄側）
１５  仮保持係止部材
１６  チューブ部材
１７  開口部
１８  目印縫製
２０  荷崩れ防止具
２１  帯状シート
２２  掛止部材
２３  面ファスナー（雌側）
２４  面ファスナー（雄側）
２５  ノンスリップ部材
２６  チューブ部材
２７  開口部
２８  目印縫製
３０  パレット
４０  荷物
４１  荷物
【図１】
2006111288.tif 000003
【図２】
2006111288.tif 000004
【図３】
2006111288.tif 000005
【図４】
2006111288.tif 000006
【図５】
2006111288.tif 000007
【図６】
2006111288.tif 000008
【図７】
2006111288.tif 000009
【図８】
2006111288.tif 000010
【図９】
2006111288.tif 000011